(57)【要約】【課題】  車椅子、歩行補助車、ベビーカーで、屋外を移動する時に、踏切のレール溝、道路側溝の溝蓋で転倒、転落の危険を感じることが多くあり、危険を未然に防止し、安全で安心して移動できる移動機器を提供することである。【解決手段】車椅子１の前輪キャスターの車輪が踏切の溝、道路側溝の溝に落下する危険性を排除し、安全・安心して屋外移動ができる落下防止具付キャスターを連結する。落下防止具付キャリーフォーク３Ｃは、キャスターに締結する落下防止具であり、車輪の両側に締結し、安全・安心して屋外移動ができる移動機器とすることができる。【選択図】図１
2017023370.tif 000002
【特許請求の範囲】
【請求項１】
車椅子、歩行補助車およびベビーカーで屋外i移動時に踏切のレール溝、道路側溝の溝蓋に車輪が落下することを防止する落下防止具、中間プレートを前輪キャスター、後輪キャスターまたは全車輪キャスターに設けた移動機器。
【請求項２】
前記落下防止具は、車輪キャスターのキャスターフォーク、車輪を貫通するシャフトおよび締結部品を使用し、キャスターフォーク外面部に締結することを特徴とする請求項１記載の移動機器。
【請求項３】
前記中間プレートは、車輪キャスターのキャスターフォーク、車輪を貫通するシャフトおよび締結部品を使用し、キャスターフォーク外面部に締結することを特徴とする請求項１記載の移動機器。
【請求項４】
前記落下防止具は、車輪キャスターに締結した中間プレートに締結部品で締結することを特徴とする請求項１記載の移動機器。
【請求項５】
前記落下防止具は、プレートに取付け穴とＬ形状軸若しくは直線形状軸とを加工構成する、またはＵ曲げ加工若しくはＬ曲げ加工のプレートに取付け穴を加工構成することを特徴とする請求項１記載の移動機器。
【請求項６】
前記落下防止具は、Ｌ形状軸、直線形状軸、Ｕ形状プレートおよびＬ形状プレートの端部に損傷防止用キャップを被せることを特徴とする請求項１記載の移動機器。
【請求項７】
前記落下防止具は、鉄製、アルミ製またはプラスチィック製で構成することを特徴とする請求項１記載の移動機器。
【発明の詳細な説明】
【技術分野】
【０００１】
本発明は、福祉機器の安全性を高め転倒、転落事故防止を図った移動機器に関する。
【背景技術】
【０００２】
従来の車椅子、歩行補助車およびベビーカーの移動機器は、屋外での移動時に踏切のレール溝、道路側溝の溝蓋に車輪が落ち込み、転倒、転落、損傷事故が発生する危険性を有している、危険防止策として、前輪キャスター、後輪キャスターをダブル車輪とする安全対策を施したものがある（非文献１参照）。
また、車椅子の前輪にキャスタースキーを取付しているものもある（非文献２参照）
【先行技術文献】
【非特許文献】
【０００３】
【非特許文献１】Ｋ．Ｋ  幸和製作所  製品情報  歩行車テイコブリトルボンベ  ＷＡＷ０６  取扱説明書
【非特許文献２】Ｋ．Ｋ  特殊衣料  オンラインショップ  雪道用品  キャスタースキー
【発明の概要】
【発明が解決しようとする課題】
【０００４】
以上に述べた移動機器の前輪、後輪または全車輪に施した安全対策は、幅広く実施されるものでなく限定したものであった。
【０００５】
本発明は、このような従来の構成が有していた問題を解決しようとするものであり、屋内で従来の使用方法で移動でき、屋外の移動時に起こりえる転倒、転落、損傷事故を防止するものであり、前輪キャスター、後輪キャスターまたは全車輪キャスターに落下防止具を取付け、屋内、屋外で安全・安心して移動することを目的とするものである。
【課題を解決するための手段】
【０００６】
本発明は、上記問題で起こりえる転倒、転落、損傷事故を未然に防止するものであり、移動機器の前輪キャスター、後輪キャスターまたは全車輪キャスターに落下防止具を設けたものである。
【０００７】
第１の問題解決手段による構成・手順は次の通りである。屋外移動機器の前輪キャスター、後輪キャスターまたは全車輪キャスターのキャスターフォーク、車輪を貫通するシャフト、ワッシャー、スプリングワッシャーおよびナットの締結部品を使用し、車輪キャスターの外面部にＬ形状軸落下防止金具、直線形状軸落下防止金具、Ｕ形状プレート落下防止金具またはＬ形状プレート落下防止金具を締結するものである。
【０００８】
第２の問題解決手段による構成・手順は次の通りである。屋内外兼用移動機器の前輪キャスター、後輪キャスターまたは全車輪キャスターのキャスターフォーク、車輪を貫通するシャフト、ワッシャー、スプリングワッシャーおよびナットの締結部品を使用し、車輪キャスターの外面部に中間プレートを締結し、締結した中間プレートとＬ形状軸落下防止金具、直線形状軸落下防止金具、Ｕ形状プレート落下防止金具またはＬ形状プレート落下防止金具とをワッシャー、スプリングワッシャーおよびボルトの締結部品で締結するものである。
【発明の効果】
【０００９】
上述したように本発明の移動機器は、屋外移動時に踏切のレール溝、道路側溝の溝蓋に車輪の落ち込みをＬ形状軸落下防止金具またはＵ形状プレート落下防止金具で防止し、転倒、転落事故を防止するという効果を発揮するもので、屋外で安全・安心して移動できる移動機器を提供できる。
また  直線形状軸落下防止金具またはＬ形状プレート落下防止金具も同様の効果を発揮するものである。
【００１０】
上述したように本発明の移動機器は、屋内移動時には、前輪キャスター、後輪キャスターまたは全車輪キャスターの中間プレートに締結している落下防止具を取り外すことで、屋内の通路の角、テーブルの脚およびドアに接触することなく、安全・安心して移動できる、屋外移動時には、前輪キャスター、後輪キャスターまたは全車輪キャスターの中間プレートに落下防止具を取付けることで、踏切のレール溝、道路側溝の溝蓋に車輪の落ち込みを防止し、転倒、転落事故を防止するという効果を発揮するもので、屋内  および  屋外で安全・安心して移動できる移動機器を提供できる。
【図面の簡単な説明】
【００１１】
【図１】車椅子にＬ形状軸落下防止具を取付けた概念図
【図２】歩行補助車にＬ形状軸落下防止具を取付けた概念図
【図３】車輪キャスターにＬ形状軸落下防止具を締結した構成図
【図４】Ｌ形状軸落下防止具、Ｕ形状プレート落下防止具の構成図
【図５】車輪キャスターの中間プレートにＬ形状軸Ａ落下防止具を締結した構成図
【図６】車輪キャスターの中間プレートに締結するＬ形状軸Ａ落下防止具、Ｕ形状プレートＡ落下防止具の構成図
【発明を実施するための形態】
【００１２】
以下、本発明の実施の形態を図１〜図６に基づいて説明する。
【００１３】
図１においては、１は車椅子で、前輪キャスターにＬ形状軸落下防止具４を締結している。
【００１４】
図２においては、２は歩行補助車で、前輪キャスターにＬ形状軸落下防止具４を締結している
【００１５】
図３においては、３は車椅子、歩行補助車、ベビーカーの車輪キャスターで、車輪キャスターの構成部品であるキャスターフォーク、車輪を貫通するシャフトおよび、締結部品で、Ｌ形状軸落下防止具４を締結している。
【００１６】
図４においては、４はＬ形状軸落下防止具で、プレート４Ａに車輪キャスターに連結する連結穴とＬ形状軸４Ｂとの加工構成品である。
また  屋外移動時に起こりうる損傷事故を防止するため、ゴム製またはプラスティック製の軸用キャップ４Ｃを落下防止軸４Ｂに被せる。
５は、Ｕ形状プレート落下防止具で、車輪キャスターに連結する連結穴と曲げ加工で落下防止面との加工構成品である。
上述と同様、屋外移動時に起こりうる損傷事故を防止するため、ゴム製またはプラスティック製のプレート用キャップ５Ａを曲げ加工端部に被せる。
以下  上記構成の手順を説明する。車輪キャスター３の車輪とキャスターフォークを連結しているシャフトに、Ｌ形状軸落下防止具４またはＵ形状プレート落下防止具５を挿入し、ワッシャー、スプリングワッシャーおよびナットの締結部品で締結し、落下防止具付車椅子、落下防止具付歩行補助車および落下防止具付ベビーカーとすることで、屋外で安全・安心して移動できる移動機器を提供できる。
上記のＬ形状軸落下防止具、Ｕ形状プレート落下防止具を直線形状軸落下防止金具またはＬ形状プレート落下防止金具に取り替えても、屋外で安全・安心して移動できる移動機器を提供することができる。
【００１７】
図５において、車輪キャスター３の車輪とキャスターフォークを連結しているシャフトに、中間プレート６を挿入し、ワッシャー、スプリングワッシャーおよびナットの締結部品で締結する。  中間プレート６は、図６の図示で車輪キャスター３に連結する連結穴とＬ形状軸落下防止具７を締結するネジ穴との加工構成品である。中間プレート６とＬ形状軸落下防止具７をワッシャー、スプリングワッシャーおよびボルトの締結部品で締結する。
中間プレート６に落下防止具を締結することで、安全・安心して屋外移動できる車椅子、歩行補助車、ベビーカーの移動機器を提供できる。
中間プレート６に締結している落下防止具を取り外すことで、屋内通路の角、テーブルの脚およびドアに接触することなく、安全・安心して移動できる移動機器を提供できる。
【００１８】
図６において、６は中間プレートで、車輪キャスターに連結する連結穴と落下防止具を締結するネジ穴との加工構成品である。
７はＬ形状軸Ａ落下防止具で、プレート７Ａに中間プレート６に連結する連結穴とＬ形状軸７Ｂとの加工構成品である。
８は、Ｕ形状プレートＡ落下防止具で、中間プレート６に連結する連結穴と曲げ加工の落下防止面との加工構成品である。
図５で、車椅子、歩行補助車またはベビーカーの車輪キャスターに締結している中間プレート６に、図６のＬ形状軸Ａ落下防止具７またはＵ形状プレートＡ落下防止具８とをワッシャー、スプリングワッシャーおよびボルトの締結部品で締結する。
締結部品のボルトは、素人が簡便に締結することができる六角ボルト、蝶ボルトまたは六角穴付きボルトとする。
屋外移動時に起こりうる損傷事故を防止するゴム製またはプラスティック製の軸用キャップＡ７Ｃまたはプレート用キャップＡ８Ａを被せる。
上述の落下防止具を車輪キャスターの中間プレートに締結し、落下防止具付車椅子、落下防止具付歩行補助車および落下防止具付ベビーカーとすることで、屋外で安全・安心して移動できる移動機器を提供できる。
上記のＬ形状軸落下防止具、Ｕ形状プレート落下防止具を直線形状軸落下防止金具またはＬ形状プレート落下防止金具に取り替えても、屋外で安全・安心して移動できる移動機器を提供することができる。
【符号の説明】
【００１９】
１  車椅子
２  歩行補助車
３  前輪キャスター
４  Ｌ形状軸落下防止具
４Ａ  Ｌ形状軸プレート
４Ｂ  Ｌ形状軸ストッパー
４Ｃ  軸用キャップ
５  Ｌ形状プレート落下防止具
５Ａ  プレート用キャップ
６  中間プレート
７  Ｌ形状軸Ａ落下防止具
７Ａ  Ｌ形状軸Ａプレート
７Ｂ  Ｌ形状軸Ａストッパー
７Ｃ  軸用キャップＡ
８  Ｌ形状プレートＡ落下防止具
８Ａ  プレート用キャップＡ
【図１】
2017023370.tif 000003
【図２】
2017023370.tif 000004
【図３】
2017023370.tif 000005
【図４】
2017023370.tif 000006
【図５】
2017023370.tif 000007
【図６】
2017023370.tif 000008
【手続補正書】
【提出日】平成28年11月1日(2016.11.1)
【手続補正１】
【補正対象書類名】明細書
【補正対象項目名】全文
【補正方法】変更
【補正の内容】
【発明の詳細な説明】
【技術分野】
【０００１】
本発明は、福祉機器の安全性を高め転倒、転落事故防止を図る移動機器に関する。
【背景技術】
【０００２】
従来の車椅子、歩行補助車およびベビーカーの移動機器は、屋外での移動時に踏切のレール溝、道路側溝の溝蓋に車輪が落ち込み、転倒、転落、損傷事故が発生する危険性を有している、危険防止策として、前輪キャスター、後輪キャスターをダブル車輪とする安全対策を施したものがある。（非特許文献１参照）
また、車椅子の前輪にキャスタースキーを取付けているものもある。（非特許文献２参照）
【先行技術文献】
【特許文献】
【０００３】
【非特許文献１】Ｋ．Ｋ  幸和製作所  製品情報  歩行車テイコブリトルボンベＷＡＷＯ６  取扱説明書
【非特許文献２】Ｋ．Ｋ  特殊衣料  オンラインショップ  雪道用品  キャスタースキー
【発明の概要】
【発明が解決しようとする課題】
【０００４】
以上に述べた移動機器の前輪、後輪または全車輪に施した安全対策は、幅広く実施されるものでなく限定したものであった。
【０００５】
本発明はこのような従来の構成が有していた問題を解決しようとするものであり、屋内で従来の使用方法で移動でき、屋外の移動時に起こりえる転倒、転落、損傷事故を防止するものであり、少なくとも前輪キャスターに落下防止具を取付け、屋内、屋外で安全・安心して移動することを目的とするものである。
【課題を解決するための手段】
【０００６】
本発明は、上記問題で起こりえる転倒、転落、損傷事故を未然に防止するものであり、少なくとも前輪キャスターに落下防止具を設けた移動機器である。
【０００７】
第１の問題解決手段による構成・手順は次の通りである。屋外移動機器の少なくとも前輪キャスターのキャスターフォークの下部形状を落下防止金具機能に造形するものである。
【０００８】
第２の問題解決手段による構成・手順は次の通りである。屋内外兼用移動機器の少なくとも前輪キャスターの芯金部に落下防止金具を締結するものである。
【発明の効果】
【０００９】
上述のように本発明の移動機器は、屋外移動時に踏切のレール溝、道路側溝の溝蓋に車輪の落ち込みを落下防止金具で防止し、転倒、転落事故を防止するという効果を発揮するもので、屋外で安全・安心して移動できる移動機器を提供できる。
【００１０】
上述したように本発明の移動機器は、少なくとも前輪キャスターに落下防止具を取付けることで、踏切のレール溝、道路側溝の溝蓋に車輪が落ち込みを防止し、転倒、転落事故を防止するという効果を発揮するもので、安全・安心して移動できる移動機器を提供できる。
【図面の簡単な説明】
【００１１】
【図１】落下防止具形状キャスターフォーク付である車椅子の概念図
【図２】歩行補助車に落下防止具を取付けた概念図
【図３】キャスターに落下防止具形状キャスターフォークを締結した構成図
【図４】キャスターの芯金部両側に落下防止具を締結した構成図
【図５】キャスターの芯金部片側に落下防止具を締結した構成図
【図６】車輪と芯金部間に落下防止具を締結した断面構成図
【発明を実施するための形態】
【００１２】
以下、本発明の実施形態を図１〜図６に基づいて説明する。
【００１３】
図１においては、１は車椅子で、前輪キャスター３は落下防止具形状キャスター
フォーク３Ｃを締結している。
【００１４】
図２においては、２は歩行補助車で、落下防止具付キャスター４を締結している。
【００１５】
図３においては、３Ａは車輪、３Ｂは芯金部、３Ｃは落下防止具形状キャスターフォーク、３Ｄは落下防止具形状部のキャップでキャスター３を構成している。
以下  上記構成の手順を説明する。キャスターフォークの下部形状を曲げ加工で落下防止具機能を造形し、落下防止具機能付キャスターフォークで構成するキャスターを締結する落下防止具付車椅子、落下防止具付歩行補助車および落下防止具付ベビーカーは、屋外で安全・安心して移動できる移動機器として提供することができる。 
また  屋外移動時に起こりうる損傷事故を防止するため、ゴム製またはプラスチック製のキャップ３Ｄをキャスターフォーク３Ｃの下部形状部端部に被せる。
【００１６】
図４においては、車輪４Ａと芯金部４Ｂで構成する車輪部に、芯金４Ｂの両側に穴有底面付管形状の落下防止具４Ｃを締結するものである。
また  屋外移動時に起こりうる損傷事故を防止するため、ゴム製またはプラスチック製のキャップ４Ｇを落下防止具４Ｃ円環端部全周に被せる。
以下  上記構成の手順を説明する。芯金部４Ｂに穴有底面付管形状の落下防止具４Ｃを締結し、落下防止具付車椅子、落下防止具付歩行補助車および落下防止具付ベビーカーとなり、屋外で安全・安心して移動できる移動機器を提供することができる。
【００１７】
図５において、車輪４Ａと芯金部４Ｂで構成する車輪部において、芯金部４Ｂに、穴有底面付管形状の落下防止具４Ｃと、穴有円形形状の中間プレート４Ｄとを締結する。
また  屋外移動時に起こりうる損傷事故を防止するため、図４のゴム製またはプラスチック製のキャップ４Ｇを落下防止具４Ｃ円環端部全周に被せる。
車輪部の片側」に落下防止具を締結することで、安全・安心して移動できる車椅子、歩行補助車、ベビーカーの移動機器を提供できる。
上記の落下防止具４Ｃ付車輪部をダブルキャスターの車輪部と取り替えて、より安全・安心して移動できる移動機器を提供することができる。
【００１８】
図６において、車輪５Ａと、芯金部５Ｂとの接合部に落下防止具５Ｅまたは落下防止具５Ｆを入れ、芯金部５Ｂと、落下防止具５Ｅまたは落下防止具５Ｆと締結し、落下防止具５Ｅまたは落下防止具５Ｆと、車輪５Ａとを締結する車輪部である。
落下防止具５Ｅまたは落下防止具５Ｆは、端部を曲げ加工の落下防止の加工構成品である。
屋外移動時に起こりうる損傷事故を防止するゴム製またはプラスチック製のキャップ５Ｈを円環端部全周に被せる。
上述の落下防止具付車輪部を締結構成するキャスターを締結する落下防止具付車椅子、落下防止具付歩行補助車および落下防止具付ベビーカーとすることで、屋外で安全・安心して移動できる移動機器を提供することができる。
上記の落下防止具５Ｆ付車輪部をダブルキャスターの車輪部と取り替えて、より安全・安心して移動できる移動機器を提供することができる。
前記締結する具体的例として、ボルト締め、リベット締め、カシメ、嵌合、ロー付、溶接、接着、圧接が挙げられる。
【符号の説明】
【００１９】
１      車椅子
２      歩行補助車
３      キャスター
３Ａ 車輪
３Ｂ 芯金部
３Ｃ 落下防止具付キャスターリフト
３Ｄ キャップ
４      落下防止具付キャスター
４Ａ 車輪
４Ｂ    芯金部
４Ｃ    落下防止具
４Ｄ 中間プレート
４Ｇ キャップ
５Ａ    車輪
５Ｂ 芯金部
５Ｅ 落下防止具
５Ｆ 落下防止具
５Ｈ キャップ
【手続補正２】
【補正対象書類名】特許請求の範囲
【補正対象項目名】全文
【補正方法】変更
【補正の内容】
【特許請求の範囲】
【請求項１】
車椅子、歩行補助車およびベビーカーで屋外移動時に踏切のレール溝、道路側溝         の溝蓋に車輪が落下することを防止する落下防止具付キャスターを装備する移動機         器。
【請求項２】
前記落下防止具は、キャスターフォークの下部に造形することを特徴とする請求
項１記載の移動機器。
【請求項３】
前記落下防止具は、キャスター芯金部に締結することを特徴とする請求項１記載
の移動機器。
【請求項４】
前記落下防止具は、キャスター芯金部と、車輪間とに締結することを特徴とする
請求項１記載の移動機器。
【請求項５】
前記落下防止具は、端部にキャップを被せることを特徴とする請求項１記載の移動機器
【手続補正４】
【補正対象書類名】図面
【補正対象項目名】全図
【補正方法】変更
【補正の内容】
【図１】
2017023370.tif 000009
【図２】
2017023370.tif 000010
【図３】
2017023370.tif 000011
【図４】
2017023370.tif 000012
【図５】
2017023370.tif 000013
【図６】
2017023370.tif 000014